(57)【要約】【課題】強度及び耐久性が高く、かつ、多くの量の芳香剤を吸着可能な吸着材を収容する装身具を提供する。【解決手段】この装身具１は、ネックレスに好適であって、珠１１Ａ又は留め具１３に、最小粒径が１００μｍ以上、最大粒径が２ｍｍ以下の顆粒状の複数個の活性炭粒子２と、複数個の活性炭粒子２が封入され複数個の通気孔３１が形成された封入部材３と、を備える。活性炭粒子２は、フェノール樹脂を原材料とする球状の粒子を炭化し賦活したものであることができ、また、芳香剤及び／又は人工酵素を吸着しているようにすることができる。【選択図】図４
2020014889.tif 000002
【特許請求の範囲】
【請求項１】
最小粒径が１００μｍ以上、最大粒径が２ｍｍ以下の顆粒状の複数個の活性炭粒子と、
該複数個の活性炭粒子が封入され複数個の通気孔が形成された封入部材と、
を備えることを特徴とする装身具。
【請求項２】
請求項１に記載の装身具において、
前記活性炭粒子は、フェノール樹脂を原材料とする球状の粒子を炭化し賦活したものであることを特徴とする装身具。
【請求項３】
請求項１又は２に記載の装身具において、
前記活性炭粒子は芳香剤を吸着していることを特徴とする装身具。
【請求項４】
請求項１〜３のいずれか１項に記載の装身具において、
前記活性炭粒子は人工酵素を吸着していることを特徴とする装身具。
【発明の詳細な説明】
【技術分野】
【０００１】
本発明は、ネックレスなどの装身具に関する。
【背景技術】
【０００２】
装身具は、古くから種々の目的で身に付けて来られた。装身具は、目的に応じて様々な形状が木材、金属、宝石等種々の素材から形成され、その多くは視覚のみに訴えるものであるが、同時に体臭を消臭するものもある。例えば、芳香剤を装身具に含ませて、その香りによって体臭を消臭するものがある。芳香剤は、草木や花などから抽出し精製された天然香料又はそれらの天然香料の分子構造を模倣した人工香料が用いられる。体臭を消臭することにより、ストレスの解消や肉体疲労の軽減などの効果を発現することができる。
【０００３】
特許文献１には、顆粒状の芳香剤を網体の中に収容した装身具が開示されている。特許文献２には、ペンダント本体に多孔質の焼結合金等の吸着材を収容しそれに液状の芳香剤を吸着（含浸）させたペンダントが開示されている。特許文献３には、スポンジ素材や多孔質のセラミック素材の吸着材（液剤保持部材）を収容しそれに液状の芳香剤を吸着させて蒸散できるようにした装身具が開示されている。
【先行技術文献】
【特許文献】
【０００４】
【特許文献１】実開昭５４−１２９４９４号公報
【特許文献２】特開平７−０４７００４号公報
【特許文献３】特開２００８−０６２０２８号公報
【発明の概要】
【発明が解決しようとする課題】
【０００５】
しかしながら、特許文献１に開示されるような顆粒状の芳香剤は、一般的に強度及び耐久性が低く、年月の経過とともに崩壊して欠落物や粉体などが網体から漏れてくる可能性がある。また、特許文献２、３に開示されるような液状の芳香剤が吸着された吸着材は１個の塊であり、吸着できる芳香剤の量に限界が有る。
【０００６】
本発明は、係る事由に鑑みてなされたものであり、その目的は、強度及び耐久性が高く、かつ、多くの量の芳香剤を吸着可能な吸着材を収容する装身具を提供することにある。
【課題を解決するための手段】
【０００７】
上記目的を達成するために、請求項１に記載の装身具は、最小粒径が１００μｍ以上、最大粒径が２ｍｍ以下の顆粒状の複数個の活性炭粒子と、該複数個の活性炭粒子が封入され複数個の通気孔が形成された封入部材と、を備えることを特徴とする。
【０００８】
請求項２に記載の装身具は、請求項１に記載の装身具において、前記活性炭粒子は、フェノール樹脂を原材料とする球状の粒子を炭化し賦活したものであることを特徴とする。
【０００９】
請求項３に記載の装身具は、請求項１又は２に記載の装身具において、前記活性炭粒子は芳香剤を吸着していることを特徴とする。
【００１０】
請求項４に記載の装身具は、請求項１〜３のいずれか１項に記載の装身具において、前記活性炭粒子は人工酵素を吸着していることを特徴とする。
【発明の効果】
【００１１】
本発明の装身具によれば、強度及び耐久性が高く、かつ、多くの量の芳香剤を吸着可能な吸着材を収容したものとすることができる。
【図面の簡単な説明】
【００１２】
【図１】本発明の実施形態に係る装身具の外観を示す正面図である。
【図２】同上の装身具の活性炭粒子の微細構造を示す模式図である。
【図３】同上の装身具の活性炭粒子の吸着効果の実験結果を示すグラフである。
【図４】同上の装身具の複数個の珠のうち少なくとも１個の珠を拡大して示すものであって、（ａ）が正面図、（ｂ）が正面視断面図である。
【図５】同上の装身具の留め具を拡大して示すものであって、（ａ）が正面図、（ｂ）が正面視断面図である。
【図６】同上の装身具の留め具の変形例を拡大して示すものであって、（ａ）が正面図、（ｂ）が正面視断面図である。
【発明を実施するための形態】
【００１３】
以下、本発明を実施するための形態を図面を参照しながら説明する。本発明の実施形態に係る装身具１は、図１に示すように、ネックレスであって、複数個の珠１１、これら複数個の珠１１を数珠繋ぎにする紐１２、紐１２の両端を分離及び結合可能にする留め具１３を有している。なお、紐１２は、複数個の珠１１を数珠繋ぎできるものであれば、特に材質などが限定されるものではない。
【００１４】
複数個の珠１１のうちの少なくとも１個（図１においては２個）の珠１１Ａは、顆粒状の複数個の活性炭粒子２と、その複数個の活性炭粒子２が封入される封入部材３Ａとを備える構造になっている。珠１１Ａ以外の珠１１については、大きさや材質など特に限定されるものではない。
【００１５】
複数個の活性炭粒子２のそれぞれは、最小粒径が１００μｍ以上、最大粒径が２ｍｍ以下である。最小粒径は、好ましくは２００μｍ以上である。最大粒径は、好ましくは１ｍｍ以下、更に好ましくは６００μｍ以下である。活性炭粒子２は、最小粒径と最大粒径が略等しい球状のものや最小粒径と最大粒径が異なる楕円体状のものなどが可能である。活性炭粒子２は、活性炭から形成され、図２に示すような様々な幅の細孔２１を多く有しており、それにより吸着材として働くものである。活性炭粒子２は、高温で炭化し、過度の賦活をしなければ、振動又はある程度の衝撃では崩壊しないくらいに高い強度及び耐久性を得ることができる。
【００１６】
炭化は、例えば、炭化炉内で窒素雰囲気下、８〜９時間かけて昇温し温度８５０℃で２時間程度保持するようにすることができる。賦活は、例えば、炉内に水蒸気を流入させ、温度８５０℃で２〜２４時間保持するようにすることができる。このような炭化と賦活により、活性炭粒子２は、比表面積が好ましくは１０００〜２５００ｍ２／ｇ、更に好ましくは１４００〜１８００ｍ２／ｇのものを得ることができる。なお、比表面積を大きくすると吸着能力を高くすることができるが、反面、強度及び耐久性が低下し易い。
【００１７】
複数個の活性炭粒子２は、活性炭粒子２が小径であると、表面まで連続して達している表面近くの細孔２１が多いので吸着できる芳香剤（及び体臭）の量が多くなるが、小径になるほど、空気中に舞い易くなるなど取り扱い（ハンドリング）が難しく、また、後述するような封入部材３Ａの表面の穴開け加工が難しくなる傾向が有る。
【００１８】
活性炭粒子２は、最小粒径が１００μｍ以上（好ましくは２００μｍ以上）、最大粒径が２ｍｍ以下（好ましくは１ｍｍ以下、更に好ましくは６００μｍ以下）とすれば、多くの量の芳香剤（及び体臭）を吸着可能となり、かつ、取り扱いが容易であり、後述するような封入部材３Ａの表面の穴開け加工もさほど難しくはならない。
【００１９】
活性炭粒子２は、フェノール樹脂を原材料とする球状の粒子を炭化し賦活したものであるのが好ましい。フェノール樹脂を原材料とする球状の粒子は、球状を良好に保ったまま炭化し賦活することができる。従って、粒径の管理は炭化の前に行っておけばよい。フェノール樹脂を原材料とする球状の粒子を炭化し賦活した活性炭粒子２は、活性炭なのに、非常に強度及び耐久性が高く、また、摩耗しにくく万一手などに触れても汚れない。また、活性炭粒子２が球状であるので、デッドスペースが少なく、決まった体積の封入部材３Ａに多くのものを封入し易い。
【００２０】
活性炭粒子２は、封入部材３Ａに封入する前に、液状の芳香剤を吸着させておくことができる。芳香剤としては、一般的に知られているパルファン、オードパルファン、オードトワレ、オーデコロン等の香水や、アイリス、カモミール、ジャスミン等のエッセンシャルオイルなどが適用可能である。活性炭粒子２は、封入部材３Ａに封入後に装身具１が振動しても、強度及び耐久性が高いため崩壊及び欠落せず、その欠落物や粉体などが封入部材３Ａの通気孔から漏れてくることなく、長期間にわたって芳香剤を蒸散させることが可能である。このようにして、芳香剤の香りによって体臭を長期間にわたって消臭することが可能である。
【００２１】
また、活性炭粒子２は、体臭を吸着可能である。体臭の吸着を主な目的として、液状の芳香剤を吸着させておかないこともできる。このようにしても、体臭を消臭することが可能である。
【００２２】
活性炭粒子２は、人工酵素を吸着させそれを担持しておくことも可能である。人工酵素は、生体内の酸化酵素が様々な物質を酸化し解毒することから、その酸化酵素を模して人工的に作られた酵素である。人工酵素は、酸化反応触媒性能を有する化合物（例えば、オリエント化学工業株式会社製のフタロシアニン類似の化合物であるＤＥＯＲＡＳＥ（登録商標））を用いることができる。人工酵素を担持している活性炭粒子２は、吸着した又は吸着しようとする体臭の分子を人工酵素の触媒作用によって分解し、体臭の分子が活性炭粒子２の細孔２１を埋め尽くすのを阻止して、吸着効果を半永久的なものとすることが可能である。人工酵素を担持している活性炭粒子２は、体臭の吸着を主な目的として、液状の芳香剤を吸着させておかない場合に特に好適である。
【００２３】
活性炭粒子２の吸着効果の実験結果を図３に示す。体臭の代わりに初期濃度が約１００ｐｐｍのアンモニアガスを用いた。活性炭粒子２は、複数個の合計を５ｇとした。人工酵素は、オリエント化学工業株式会社製のＤＥＯＲＡＳＥ（登録商標）とした。図３の縦軸は、アンモニアガスの濃度である。図３の横軸は、経過時間であり、１０分、３０分、１時間、３時間、６時間で測定した。図中、曲線ａは人工酵素を担持している活性炭粒子２を９Ｌの空気中に入れた濃度変化、曲線ｂは人工酵素を担持していない活性炭粒子２を９Ｌの空気中に入れた濃度変化、曲線ｃは活性炭粒子２を９Ｌの空気中に入れていない濃度変化、である。
【００２４】
図３より、６時間経過後のアンモニアガスの濃度は、人工酵素を担持していない活性炭粒子２（曲線ｂ）では約４０％と減少しており、人工酵素を担持している活性炭粒子２（曲線ａ）では５％以下と非常に減少している。このことから、活性炭粒子２は、人工酵素を担持していなくても消臭効果は有るが、人工酵素を担持していると非常に消臭効果が増加することが分かる。
【００２５】
封入部材３Ａは、複数個の通気孔３１Ａが形成されている。通気孔３１Ａは、活性炭粒子２が通過できない程度の大きさのものである。通気孔３１Ａの形状は、円形、楕円形、スリット状などが挙げられ、その最小幅は、活性炭粒子２の最小粒径よりも小さい。封入部材３Ａは、樹脂又は金属（例えば、チタンやステンレスなど）から形成することができる。
【００２６】
封入部材３Ａは、図４（ａ）、（ｂ）に示すように、２分割（図においては上下に２分割）された球状のものとすることができる。封入部材３Ａのそれぞれの半球には、紐１２を通すための紐通し孔３２Ａが形成されている。この封入部材３Ａに、複数個の活性炭粒子２を投入して封止する。封止は、接着又は螺着などが可能である。
【００２７】
以上、複数個の珠１１のうちの少なくとも１個の珠１１Ａに複数個の活性炭粒子２を封入部材３Ａに封入した装身具１を説明したが、留め具１３に、複数個の活性炭粒子２を封入し複数個の通気孔３１Ｂが形成された封入部材３Ｂを設けることもできる。図５（ａ）、（ｂ）に示す留め具１３は、磁石３４Ｂ、３４Ｂによって一方側１３ａと他方側１３ｂを結合させることができるものである。留め具１３の一方側１３ａと他方側１３ｂには、それぞれ封入部材３Ｂが設けられており、紐１２の端を連結するための紐端連結部３３Ｂが形成されている。それぞれの封入部材３Ｂは、２分割されており、間を開けて複数個の活性炭粒子２を投入して封止する。封止は、接着又は螺着などが可能である。
【００２８】
留め具１３の一方側１３ａか他方側１３ｂだけに複数個の活性炭粒子２を封入することも可能である。この場合、留め具１３は、図６（ａ）、（ｂ）に示すように、封入部材３Ｂを一方側１３ａと他方側１３ｂの片方のみ（図では他方側１３ｂのみ）に設けることができる。また、当然であるが、留め具１３は、磁石３４Ｂ、３４Ｂによらず、フックなど機械的手段によって一方側１３ａと他方側１３ｂを結合させることも可能である。
【００２９】
なお、複数個の活性炭粒子２の封入は、珠１１Ａと留め具１３のどちらにも行うことが可能であるし、その一方だけに行うことも可能である。
【００３０】
以上、本発明の実施形態に係る装身具について説明したが、本発明は、実施形態に記載したものに限られることなく、特許請求の範囲に記載した事項の範囲内でのさまざまな設計変更が可能である。また、本発明の実施形態に係る装身具はネックレスに好適であるが、ブレスレットなど他の装身具に適用することも可能である。
【符号の説明】
【００３１】
１    装身具
１１、１１Ａ  珠
１２  紐
１３  留め具
１３ａ  留め具の一方側
１３ｂ  留め具の他方側
２    活性炭粒子
２１  細孔
３Ａ、３Ｂ  封入部材
３１Ａ、３１Ｂ  通気孔
３２Ａ  紐通し孔
３３Ｂ  紐端連結部
３４Ｂ  磁石
【図１】
2020014889.tif 000003
【図２】
2020014889.tif 000004
【図３】
2020014889.tif 000005
【図４】
2020014889.tif 000006
【図５】
2020014889.tif 000007
【図６】
2020014889.tif 000008
【手続補正書】
【提出日】令和1年10月13日(2019.10.13)
【手続補正１】
【補正対象書類名】特許請求の範囲
【補正対象項目名】全文
【補正方法】変更
【補正の内容】
【特許請求の範囲】
【請求項１】
フェノール樹脂を原材料とする球状の粒子を炭化し賦活した最小粒径が１００μｍ以上、最大粒径が２ｍｍ以下の顆粒状のものであって、多くの量の芳香剤及び体臭を吸着可能な複数個の多くの細孔を有し比表面積が１０００〜２５００ｍ２／ｇの活性炭粒子と、
該複数個の多くの細孔を有する活性炭粒子が封入され該活性炭粒子が通過できない大きさの複数個の通気孔が形成された封入部材と、を備えることを特徴とする装身具。
【請求項２】
請求項１に記載の装身具において、
前記活性炭粒子は芳香剤を吸着していることを特徴とする装身具。
【請求項３】
請求項１又は２に記載の装身具において、
前記活性炭粒子は人工酵素を吸着していることを特徴とする装身具。
【手続補正２】
【補正対象書類名】明細書
【補正対象項目名】全文
【補正方法】変更
【補正の内容】
【発明の詳細な説明】
【技術分野】
【０００１】
本発明は、ネックレスなどの装身具に関する。
【背景技術】
【０００２】
装身具は、古くから種々の目的で身に付けて来られた。装身具は、目的に応じて様々な形状が木材、金属、宝石等種々の素材から形成され、その多くは視覚のみに訴えるものであるが、同時に体臭を消臭するものもある。例えば、芳香剤を装身具に含ませて、その香りによって体臭を消臭するものがある。芳香剤は、草木や花などから抽出し精製された天然香料又はそれらの天然香料の分子構造を模倣した人工香料が用いられる。体臭を消臭することにより、ストレスの解消や肉体疲労の軽減などの効果を発現することができる。
【０００３】
特許文献１には、顆粒状の芳香剤を網体の中に収容した装身具が開示されている。特許文献２には、ペンダント本体に多孔質の焼結合金等の吸着材を収容しそれに液状の芳香剤を吸着（含浸）させたペンダントが開示されている。特許文献３には、スポンジ素材や多孔質のセラミック素材の吸着材（液剤保持部材）を収容しそれに液状の芳香剤を吸着させて蒸散できるようにした装身具が開示されている。
【先行技術文献】
【特許文献】
【０００４】
【特許文献１】実開昭５４−１２９４９４号公報
【特許文献２】特開平７−０４７００４号公報
【特許文献３】特開２００８−０６２０２８号公報
【発明の概要】
【発明が解決しようとする課題】
【０００５】
しかしながら、特許文献１に開示されるような顆粒状の芳香剤は、一般的に強度及び耐久性が低く、年月の経過とともに崩壊して欠落物や粉体などが網体から漏れてくる可能性がある。また、特許文献２、３に開示されるような液状の芳香剤が吸着された吸着材は１個の塊であり、吸着できる芳香剤の量に限界が有る。
【０００６】
本発明は、係る事由に鑑みてなされたものであり、その目的は、強度及び耐久性が高く、かつ、多くの量の芳香剤を吸着可能な吸着材を収容する装身具を提供することにある。
【課題を解決するための手段】
【０００７】
上記目的を達成するために、請求項１に記載の装身具は、フェノール樹脂を原材料とする球状の粒子を炭化し賦活した最小粒径が１００μｍ以上、最大粒径が２ｍｍ以下の顆粒状のものであって、多くの量の芳香剤及び体臭を吸着可能な複数個の多くの細孔を有し比表面積が１０００〜２５００ｍ２／ｇの活性炭粒子と、該複数個の多くの細孔を有する活性炭粒子が封入され該活性炭粒子が通過できない大きさの複数個の通気孔が形成された封入部材と、を備えることを特徴とする。
【０００８】
請求項２に記載の装身具は、請求項１に記載の装身具において、前記活性炭粒子は芳香剤を吸着していることを特徴とする。
【０００９】
請求項３に記載の装身具は、請求項１又は２に記載の装身具において、前記活性炭粒子は人工酵素を吸着していることを特徴とする。
【発明の効果】
【００１０】
本発明の装身具によれば、強度及び耐久性が高く、かつ、多くの量の芳香剤及び体臭を吸着可能な吸着材を収容したものとすることができる。
【図面の簡単な説明】
【００１１】
【図１】本発明の実施形態に係る装身具の外観を示す正面図である。
【図２】同上の装身具の活性炭粒子の微細構造を示す模式図である。
【図３】同上の装身具の活性炭粒子の吸着効果の実験結果を示すグラフである。
【図４】同上の装身具の複数個の珠のうち少なくとも１個の珠を拡大して示すものであって、（ａ）が正面図、（ｂ）が正面視断面図である。
【図５】同上の装身具の留め具を拡大して示すものであって、（ａ）が正面図、（ｂ）が正面視断面図である。
【図６】同上の装身具の留め具の変形例を拡大して示すものであって、（ａ）が正面図、（ｂ）が正面視断面図である。
【発明を実施するための形態】
【００１２】
以下、本発明を実施するための形態を図面を参照しながら説明する。本発明の実施形態に係る装身具１は、図１に示すように、ネックレスであって、複数個の珠１１、これら複数個の珠１１を数珠繋ぎにする紐１２、紐１２の両端を分離及び結合可能にする留め具１３を有している。なお、紐１２は、複数個の珠１１を数珠繋ぎできるものであれば、特に材質などが限定されるものではない。
【００１３】
複数個の珠１１のうちの少なくとも１個（図１においては２個）の珠１１Ａは、顆粒状の複数個の活性炭粒子２と、その複数個の活性炭粒子２が封入される封入部材３Ａとを備える構造になっている。珠１１Ａ以外の珠１１については、大きさや材質など特に限定されるものではない。
【００１４】
複数個の活性炭粒子２のそれぞれは、最小粒径が１００μｍ以上、最大粒径が２ｍｍ以下である。最小粒径は、好ましくは２００μｍ以上である。最大粒径は、好ましくは１ｍｍ以下、更に好ましくは６００μｍ以下である。活性炭粒子２は、最小粒径と最大粒径が略等しい球状のものや最小粒径と最大粒径が異なる楕円体状のものなどが可能である。活性炭粒子２は、活性炭から形成され、図２に示すような様々な幅の細孔２１を多く有しており、それにより吸着材として働くものである。活性炭粒子２は、高温で炭化し、過度の賦活をしなければ、振動又はある程度の衝撃では崩壊しないくらいに高い強度及び耐久性を得ることができる。
【００１５】
炭化は、例えば、炭化炉内で窒素雰囲気下、８〜９時間かけて昇温し温度８５０℃で２時間程度保持するようにすることができる。賦活は、例えば、炉内に水蒸気を流入させ、温度８５０℃で２〜２４時間保持するようにすることができる。このような炭化と賦活により、活性炭粒子２は、比表面積が好ましくは１０００〜２５００ｍ２／ｇ、更に好ましくは１４００〜１８００ｍ２／ｇのものを得ることができる。なお、比表面積を大きくすると吸着能力を高くすることができるが、反面、強度及び耐久性が低下し易い。
【００１６】
複数個の活性炭粒子２は、活性炭粒子２が小径であると、表面まで連続して達している表面近くの細孔２１が多いので吸着できる芳香剤（及び体臭）の量が多くなるが、小径になるほど、空気中に舞い易くなるなど取り扱い（ハンドリング）が難しく、また、後述するような封入部材３Ａの表面の穴開け加工が難しくなる傾向が有る。
【００１７】
活性炭粒子２は、最小粒径が１００μｍ以上（好ましくは２００μｍ以上）、最大粒径が２ｍｍ以下（好ましくは１ｍｍ以下、更に好ましくは６００μｍ以下）とすれば、多くの量の芳香剤（及び体臭）を吸着可能となり、かつ、取り扱いが容易であり、後述するような封入部材３Ａの表面の穴開け加工もさほど難しくはならない。
【００１８】
活性炭粒子２は、フェノール樹脂を原材料とする球状の粒子を炭化し賦活したものであるのが好ましい。フェノール樹脂を原材料とする球状の粒子は、球状を良好に保ったまま炭化し賦活することができる。従って、粒径の管理は炭化の前に行っておけばよい。フェノール樹脂を原材料とする球状の粒子を炭化し賦活した活性炭粒子２は、活性炭なのに、非常に強度及び耐久性が高く、また、摩耗しにくく万一手などに触れても汚れない。また、活性炭粒子２が球状であるので、デッドスペースが少なく、決まった体積の封入部材３Ａに多くのものを封入し易い。
【００１９】
活性炭粒子２は、封入部材３Ａに封入する前に、液状の芳香剤を吸着させておくことができる。芳香剤としては、一般的に知られているパルファン、オードパルファン、オードトワレ、オーデコロン等の香水や、アイリス、カモミール、ジャスミン等のエッセンシャルオイルなどが適用可能である。活性炭粒子２は、封入部材３Ａに封入後に装身具１が振動しても、強度及び耐久性が高いため崩壊及び欠落せず、その欠落物や粉体などが封入部材３Ａの通気孔から漏れてくることなく、長期間にわたって芳香剤を蒸散させることが可能である。このようにして、芳香剤の香りによって体臭を長期間にわたって消臭することが可能である。
【００２０】
また、活性炭粒子２は、体臭を吸着可能である。体臭の吸着を主な目的として、液状の芳香剤を吸着させておかないこともできる。このようにしても、体臭を消臭することが可能である。
【００２１】
活性炭粒子２は、人工酵素を吸着させそれを担持しておくことも可能である。人工酵素は、生体内の酸化酵素が様々な物質を酸化し解毒することから、その酸化酵素を模して人工的に作られた酵素である。人工酵素は、酸化反応触媒性能を有する化合物（例えば、オリエント化学工業株式会社製のフタロシアニン類似の化合物であるＤＥＯＲＡＳＥ（登録商標））を用いることができる。人工酵素を担持している活性炭粒子２は、吸着した又は吸着しようとする体臭の分子を人工酵素の触媒作用によって分解し、体臭の分子が活性炭粒子２の細孔２１を埋め尽くすのを阻止して、吸着効果を半永久的なものとすることが可能である。人工酵素を担持している活性炭粒子２は、体臭の吸着を主な目的として、液状の芳香剤を吸着させておかない場合に特に好適である。
【００２２】
活性炭粒子２の吸着効果の実験結果を図３に示す。体臭の代わりに初期濃度が約１００ｐｐｍのアンモニアガスを用いた。活性炭粒子２は、複数個の合計を５ｇとした。人工酵素は、オリエント化学工業株式会社製のＤＥＯＲＡＳＥ（登録商標）とした。図３の縦軸は、アンモニアガスの濃度である。図３の横軸は、経過時間であり、１０分、３０分、１時間、３時間、６時間で測定した。図中、曲線ａは人工酵素を担持している活性炭粒子２を９Ｌの空気中に入れた濃度変化、曲線ｂは人工酵素を担持していない活性炭粒子２を９Ｌの空気中に入れた濃度変化、曲線ｃは活性炭粒子２を９Ｌの空気中に入れていない濃度変化、である。
【００２３】
図３より、６時間経過後のアンモニアガスの濃度は、人工酵素を担持していない活性炭粒子２（曲線ｂ）では約４０％と減少しており、人工酵素を担持している活性炭粒子２（曲線ａ）では５％以下と非常に減少している。このことから、活性炭粒子２は、人工酵素を担持していなくても消臭効果は有るが、人工酵素を担持していると非常に消臭効果が増加することが分かる。
【００２４】
封入部材３Ａは、複数個の通気孔３１Ａが形成されている。通気孔３１Ａは、活性炭粒子２が通過できない程度の大きさのものである。通気孔３１Ａの形状は、円形、楕円形、スリット状などが挙げられ、その最小幅は、活性炭粒子２の最小粒径よりも小さい。封入部材３Ａは、樹脂又は金属（例えば、チタンやステンレスなど）から形成することができる。
【００２５】
封入部材３Ａは、図４（ａ）、（ｂ）に示すように、２分割（図においては上下に２分割）された球状のものとすることができる。封入部材３Ａのそれぞれの半球には、紐１２を通すための紐通し孔３２Ａが形成されている。この封入部材３Ａに、複数個の活性炭粒子２を投入して封止する。封止は、接着又は螺着などが可能である。
【００２６】
以上、複数個の珠１１のうちの少なくとも１個の珠１１Ａに複数個の活性炭粒子２を封入部材３Ａに封入した装身具１を説明したが、留め具１３に、複数個の活性炭粒子２を封入し複数個の通気孔３１Ｂが形成された封入部材３Ｂを設けることもできる。図５（ａ）、（ｂ）に示す留め具１３は、磁石３４Ｂ、３４Ｂによって一方側１３ａと他方側１３ｂを結合させることができるものである。留め具１３の一方側１３ａと他方側１３ｂには、それぞれ封入部材３Ｂが設けられており、紐１２の端を連結するための紐端連結部３３Ｂが形成されている。それぞれの封入部材３Ｂは、２分割されており、間を開けて複数個の活性炭粒子２を投入して封止する。封止は、接着又は螺着などが可能である。
【００２７】
留め具１３の一方側１３ａか他方側１３ｂだけに複数個の活性炭粒子２を封入することも可能である。この場合、留め具１３は、図６（ａ）、（ｂ）に示すように、封入部材３Ｂを一方側１３ａと他方側１３ｂの片方のみ（図では他方側１３ｂのみ）に設けることができる。また、当然であるが、留め具１３は、磁石３４Ｂ、３４Ｂによらず、フックなど機械的手段によって一方側１３ａと他方側１３ｂを結合させることも可能である。
【００２８】
なお、複数個の活性炭粒子２の封入は、珠１１Ａと留め具１３のどちらにも行うことが可能であるし、その一方だけに行うことも可能である。
【００２９】
以上、本発明の実施形態に係る装身具について説明したが、本発明は、実施形態に記載したものに限られることなく、特許請求の範囲に記載した事項の範囲内でのさまざまな設計変更が可能である。また、本発明の実施形態に係る装身具はネックレスに好適であるが、ブレスレットなど他の装身具に適用することも可能である。
【符号の説明】
【００３０】
１    装身具
１１、１１Ａ  珠
１２  紐
１３  留め具
１３ａ  留め具の一方側
１３ｂ  留め具の他方側
２    活性炭粒子
２１  細孔
３Ａ、３Ｂ  封入部材
３１Ａ、３１Ｂ  通気孔
３２Ａ  紐通し孔
３３Ｂ  紐端連結部
３４Ｂ  磁石